(57)【要約】【課題】不正コピーを伴うことなくコンテンツを他の情報記録媒体に記録する。【解決手段】第１の光ディスクに記録されているコピーワンス・コンテンツを、第２の光ディスクに書き込む（ステップ４０９）。この書込みが終了すると、第１の光ディスクに記録パワーと同等のパワーのレーザ光を照射し、第１の光ディスクからのコピーワンス・コンテンツの再生を不可能とする（ステップ４１５）。これにより、第１の光ディスクに記録されているコピーワンス・コンテンツは消去され、コピーワンス・コンテンツが第２の光ディスクに移動されたこととなり、コピーワンス・コンテンツの属性に反することなく、第２の光ディスクに記録することができる。すなわち、不正コピーを伴うことなくコンテンツを他の情報記録媒体に記録することが可能となる。【選択図】図６
2005317051.tif 000002
【特許請求の範囲】
【請求項１】
光ディスクを情報記録の対象媒体とする情報記録システムであって、
光ディスクに対する情報の記録及び再生を行なう２つの光ディスク装置と；
前記２つの光ディスク装置のうち、一方の光ディスク装置にセットされた第１の光ディスクに記録されているコンテンツを、他方の光ディスク装置にセットされた第２の光ディスクに書込むと、前記一方の光ディスク装置から記録パワーと同等のパワーのレーザ光を前記第１の光ディスクに照射させ、前記第１の光ディスクからの前記コンテンツの再生を不可能とする制御手段と；を備える情報記録システム。
【請求項２】
前記制御手段は、前記第１の光ディスクの記録領域のうち、管理情報が記録されている領域にのみ前記レーザ光を照射させることを特徴とする請求項１に記載の情報記録システム。
【請求項３】
前記制御手段は、前記第１の光ディスクの記録領域のすべてに前記レーザ光を照射させることを特徴とする請求項１に記載の情報記録システム。
【請求項４】
前記制御手段は、断続的に前記レーザ光を照射させることを特徴とする請求項１に記載の情報記録システム。
【請求項５】
前記第１の光ディスクには、複数のコンテンツが記録されており、
前記制御手段は、前記第１の光ディスクの記録領域のうち、前記第２の光ディスクに書き込まれたコンテンツが記録されている領域のみに前記レーザ光を照射させることを特徴とする請求項１に記載の情報記録システム。
【請求項６】
前記第１の光ディスクには、複数のコンテンツが記録されており、
前記制御手段は、前記第１の光ディスクにおける前記管理情報が記録されている領域のうち、前記第２の光ディスクに書き込まれたコンテンツの管理情報が記録されている領域のみに前記レーザ光を照射させることを特徴とする請求項２に記載の情報記録システム。
【請求項７】
前記制御手段は、前記第２の光ディスクへの前記コンテンツの書込みが正しく行なわれた場合に、記録パワーと同等のパワーのレーザ光を前記第１の光ディスクに照射させることを特徴とする請求項１〜６のいずれか一項に記載の情報記録システム。
【請求項８】
前記第１の光ディスクに記録されている前記コンテンツにおける再生エラーの発生頻度が、予め設定されている閾値以上であるか否かを判断する判断手段を更に備え、
前記制御手段は、前記判断手段での判断の結果、再生エラーの発生頻度が前記閾値以上の場合に、前記コンテンツを前記第２の光ディスクに書込むことを特徴とする請求項１〜７のいずれか一項に記載の情報記録システム。
【請求項９】
２つの光ディスク装置とともに情報記録システムを構成する制御手段で用いられるプログラムであって、
前記２つの光ディスク装置のうち、一方の光ディスク装置にセットされた第１の光ディスクに記録されているコンテンツを、他方の光ディスク装置にセットされた第２の光ディスクに書込む第１手順と；
前記書込みが終了すると、前記一方の光ディスク装置から記録パワーと同等のパワーのレーザ光を前記第１の光ディスクに照射させ、前記第１の光ディスクからの前記コンテンツの再生を不可能とする第２手順と；を前記制御手段のコンピュータに実行させるプログラム。
【請求項１０】
前記第２手順として、前記第１の光ディスクの記録領域のうち、管理情報が記録されている領域にのみ前記レーザ光を照射させる手順を、前記コンピュータに実行させることを特徴とする請求項９に記載のプログラム。
【請求項１１】
前記第２手順として、前記第１の光ディスクの記録領域のすべてに前記レーザ光を照射させる手順を、前記コンピュータに実行させることを特徴とする請求項９に記載のプログラム。
【請求項１２】
前記第２手順として、断続的に前記レーザ光を照射させる手順を、前記コンピュータに実行させることを特徴とする請求項９に記載のプログラム。
【請求項１３】
前記第１の光ディスクには、複数のコンテンツが記録されており、
前記第２手順として、前記第１の光ディスクの記録領域のうち、前記第２の光ディスクに書き込まれたコンテンツが記録されている領域のみに前記レーザ光を照射させる手順を、前記コンピュータに実行させることを特徴とする請求項９に記載のプログラム。
【請求項１４】
前記第１の光ディスクには、複数のコンテンツが記録されており、
前記第２手順として、前記第１の光ディスクにおける前記管理情報が記録されている領域のうち、前記第２の光ディスクに書き込まれたコンテンツの管理情報が記録されている領域のみに前記レーザ光を照射させる手順を、前記コンピュータに実行させることを特徴とする請求項１０に記載のプログラム。
【請求項１５】
前記第１手順における書込みが正しく行なわれたか否かを判断する第３手順を、前記コンピュータに更に実行させ、
前記第２手順として、前記第３手順での判断の結果、前記書込みが正しく行なわれた場合に、記録パワーと同等のパワーのレーザ光を前記第１の光ディスクに照射させる手順を、前記コンピュータに実行させることを特徴とする請求項９〜１４のいずれか一項に記載のプログラム。
【請求項１６】
前記第１手順に先立って、前記第１の光ディスクに記録されている前記コンテンツにおける再生エラーの発生頻度が、予め設定されている閾値以上であるか否かを判断する第４手順を、前記コンピュータに更に実行させ、
前記第１手順として、前記第４手順での判断の結果、再生エラーの発生頻度が前記閾値以上の場合に、前記コンテンツを前記第２の光ディスクに書込む手順を、前記コンピュータに実行させることを特徴とする請求項９〜１５のいずれか一項に記載のプログラム。
【請求項１７】
請求項９〜１６のいずれか一項に記載のプログラムが記録されたコンピュータ読み取り可能な記録媒体。
【発明の詳細な説明】
【技術分野】
【０００１】
本発明は、情報記録システム、プログラム及び記録媒体に係り、更に詳しくは、光ディスクを情報記録の対象媒体とする情報記録システム、該情報記録システムで用いられるプログラム及び該プログラムが記録された記録媒体に関する。
【背景技術】
【０００２】
近年、パーソナルコンピュータ（以下、「パソコン」という）は、その機能向上及び低価格化に伴い、企業だけでなく一般家庭でも広く用いられるようになった。そして、記録容量の大きな情報記録媒体としてＣＤ（compact disc）やＤＶＤ（digital versatile disc）などの光ディスクが注目されるようになり、その低価格化とともに、光ディスクを情報記録の対象媒体とする光ディスク装置がパソコンの周辺機器の一つとして普及するようになった。
【０００３】
これにより、ユーザは光ディスク装置を用いて光ディスクから他の光ディスクへの音楽、映画、写真及びコンピュータソフトなどの情報（以下「コンテンツ」ともいう）のコピーを容易に行なうことが可能となり、コンテンツの提供者に多大な被害を与えるようになった。
【０００４】
そこで、例えば衛星放送やケーブルテレビなどを介して提供されるコンテンツの一部には、コピーワンス、すなわち１つの複製物のみの存在を許可することを示すＩＤが付加されており、２つ以上の複製物が存在できないようにしている。そして、これは今後拡大する傾向にある。なお、以下では、便宜上、コピーワンスの制限が設けられているコンテンツを「コピーワンス・コンテンツ」ともいう。
【０００５】
ところで、光ディスクは、キズや汚れなどに起因して劣化することがある。この場合に、コピーが禁止されていないコンテンツであれば、他の光ディスクにコピーすることが可能であるが、コピーが禁止されているコンテンツは、該コンテンツを新たに購入しなければならないという不都合があった。なお、一度だけ記録可能なライトワンス型の光ディスク（例えば、ＤＶＤ＋Ｒ、ＤＶＤ−Ｒなど）では、上書きすることによって、記録されている情報を消去することが可能である（特許文献１参照）。
【０００６】
【特許文献１】特開平１０−３０２２６５号公報
【発明の開示】
【発明が解決しようとする課題】
【０００７】
本発明は、かかる事情の下になされたもので、その第１の目的は、不正コピーを伴うことなくコンテンツを他の情報記録媒体に記録することができる情報記録システムを提供することにある。
【０００８】
また、本発明の第２の目的は、情報記録システムを構成する制御手段のコンピュータにて実行され、不正コピーを伴うことなくコンテンツを他の情報記録媒体に記録することができるプログラム、及びそのプログラムが記録された記録媒体を提供することにある。
【課題を解決するための手段】
【０００９】
請求項１に記載の発明は、光ディスクを情報記録の対象媒体とする情報記録システムであって、光ディスクに対する情報の記録及び再生を行なう２つの光ディスク装置と；前記２つの光ディスク装置のうち、一方の光ディスク装置にセットされた第１の光ディスクに記録されているコンテンツを、他方の光ディスク装置にセットされた第２の光ディスクに書込むと、前記一方の光ディスク装置から記録パワーと同等のパワーのレーザ光を前記第１の光ディスクに照射させ、前記第１の光ディスクからの前記コンテンツの再生を不可能とする制御手段と；を備える情報記録システムである。
【００１０】
これによれば、制御手段により、２つの光ディスク装置のうち、一方の光ディスク装置にセットされた第１の光ディスクに記録されているコンテンツは、他方の光ディスク装置にセットされた第２の光ディスクに書き込まれると、一方の光ディスク装置から記録パワーと同等のパワーのレーザ光が第１の光ディスクに照射され、第１の光ディスクからのコンテンツの再生が不可能とされる。すなわち、第１の光ディスクに記録されているコンテンツは消去され、コンテンツが第１の光ディスクから第２の光ディスクに移動されたこととなり、例えば「１つの複製物のみの存在が許される」コンテンツであっても、その属性に反することなく、他の情報記録媒体に記録することができる。従って、不正コピーを伴うことなくコンテンツを他の情報記録媒体に記録することが可能となる。
【００１１】
この場合において、請求項２に記載の情報記録システムの如く、前記制御手段は、前記第１の光ディスクの記録領域のうち、管理情報が記録されている領域にのみ前記レーザ光を照射させることとすることができる。
【００１２】
上記請求項１に記載の情報記録システムにおいて、請求項３に記載の情報記録システムの如く、前記制御手段は、前記第１の光ディスクの記録領域のすべてに前記レーザ光を照射させることすることができる。
【００１３】
上記請求項１に記載の情報記録システムにおいて、請求項４に記載の情報記録システムの如く、前記制御手段は、断続的に前記レーザ光を照射させることとすることができる。
【００１４】
上記請求項１に記載の情報記録システムにおいて、請求項５に記載の情報記録システムの如く、前記第１の光ディスクには、複数のコンテンツが記録されており、前記制御手段は、前記第１の光ディスクの記録領域のうち、前記第２の光ディスクに書き込まれたコンテンツが記録されている領域のみに前記レーザ光を照射させることとすることができる。
【００１５】
上記請求項２に記載の情報記録システムにおいて、請求項６に記載の情報記録システムの如く、前記第１の光ディスクには、複数のコンテンツが記録されており、前記制御手段は、前記第１の光ディスクにおける前記管理情報が記録されている領域のうち、前記第２の光ディスクに書き込まれたコンテンツの管理情報が記録されている領域のみに前記レーザ光を照射させることとすることができる。
【００１６】
上記請求項１〜６に記載の各情報記録システムにおいて、請求項７に記載の情報記録システムの如く、前記制御手段は、前記第２の光ディスクへの前記コンテンツの書込みが正しく行なわれた場合に、記録パワーと同等のパワーのレーザ光を前記第１の光ディスクに照射させることとすることができる。
【００１７】
上記請求項１〜７に記載の各情報記録システムにおいて、請求項８に記載の情報記録システムの如く、前記第１の光ディスクに記録されている前記コンテンツにおける再生エラーの発生頻度が、予め設定されている閾値以上であるか否かを判断する判断手段を更に備え、前記制御手段は、前記判断手段での判断の結果、再生エラーの発生頻度が前記閾値以上の場合に、前記コンテンツを前記第２の光ディスクに書込むこととすることができる。
【００１８】
請求項９に記載の発明は、２つの光ディスク装置とともに情報記録システムを構成する制御手段で用いられるプログラムであって、前記２つの光ディスク装置のうち、一方の光ディスク装置にセットされた第１の光ディスクに記録されているコンテンツを、他方の光ディスク装置にセットされた第２の光ディスクに書込む第１手順と；前記書込みが終了すると、前記一方の光ディスク装置から記録パワーと同等のパワーのレーザ光を前記第１の光ディスクに照射させ、前記第１の光ディスクからの前記コンテンツの再生を不可能とする第２手順と；を前記制御手段のコンピュータに実行させるプログラムである。
【００１９】
これによれば、本発明のプログラムが所定のメモリにロードされ、その先頭アドレスがプログラムカウンタにセットされると、制御手段は、２つの光ディスク装置のうち、一方の光ディスク装置にセットされた第１の光ディスクに記録されているコンテンツを、他方の光ディスク装置にセットされた第２の光ディスクに書込む。そして、書込みが終了すると、制御手段は、一方の光ディスク装置から記録パワーと同等のパワーのレーザ光を第１の光ディスクに照射させ、第１の光ディスクからのコンテンツの再生を不可能とする。すなわち、第１の光ディスクに記録されているコンテンツは消去され、コンテンツが第１の光ディスクから第２の光ディスクに移動されたこととなり、例えば「１つの複製物のみの存在が許される」コンテンツであっても、その属性に反することなく、他の情報記録媒体に記録することができる。従って、不正コピーを伴うことなくコンテンツを他の情報記録媒体に記録することが可能となる。
【００２０】
この場合において、請求項１０に記載のプログラムの如く、前記第２手順として、前記第１の光ディスクの記録領域のうち、管理情報が記録されている領域にのみ前記レーザ光を照射させる手順を、前記コンピュータに実行させることとすることができる。
【００２１】
上記請求項９に記載のプログラムにおいて、請求項１１に記載のプログラムの如く、前記第２手順として、前記第１の光ディスクの記録領域のすべてに前記レーザ光を照射させる手順を、前記コンピュータに実行させることとすることができる。
【００２２】
上記請求項９に記載のプログラムにおいて、請求項１２に記載の情報記録システムの如く、前記第２手順として、断続的に前記レーザ光を照射させる手順を、前記コンピュータに実行させることとすることができる。
【００２３】
上記請求項９に記載のプログラムにおいて、請求項１３に記載のプログラムの如く、前記第１の光ディスクには、複数のコンテンツが記録されており、前記第２手順として、前記第１の光ディスクの記録領域のうち、前記第２の光ディスクに書き込まれたコンテンツが記録されている領域のみに前記レーザ光を照射させる手順を、前記コンピュータに実行させることとすることができる。
【００２４】
上記請求項１０に記載のプログラムにおいて、請求項１４に記載のプログラムの如く、前記第１の光ディスクには、複数のコンテンツが記録されており、前記第２手順として、前記第１の光ディスクにおける前記管理情報が記録されている領域のうち、前記第２の光ディスクに書き込まれたコンテンツの管理情報が記録されている領域のみに前記レーザ光を照射させる手順を、前記コンピュータに実行させることとすることができる。
【００２５】
上記請求項９〜１４に記載の各プログラムにおいて、請求項１５に記載のプログラムの如く、前記第１手順における書込みが正しく行なわれたか否かを判断する第３手順を、前記コンピュータに更に実行させ、前記第２手順として、前記第３手順での判断の結果、前記書込みが正しく行なわれた場合に、記録パワーと同等のパワーのレーザ光を前記第１の光ディスクに照射させる手順を、前記コンピュータに実行させることとすることができる。
【００２６】
上記請求項９〜１５に記載の各プログラムにおいて、請求項１６に記載のプログラムの如く、前記第１手順に先立って、前記第１の光ディスクに記録されている前記コンテンツにおける再生エラーの発生頻度が、予め設定されている閾値以上であるか否かを判断する第４手順を、前記コンピュータに更に実行させ、前記第１手順として、前記第４手順での判断の結果、再生エラーの発生頻度が前記閾値以上の場合に、前記コンテンツを前記第２の光ディスクに書込む手順を、前記コンピュータに実行させることとすることができる。
【００２７】
請求項１７に記載の発明は、請求項９〜１６のいずれか一項に記載のプログラムが記録されたコンピュータ読み取り可能な記録媒体である。
【００２８】
これによれば、請求項９〜１６のいずれか一項に記載のプログラムが記録されているために、コンピュータに実行させることにより、不正コピーを伴うことなくコンテンツを他の情報記録媒体に記録することが可能となる。
【発明を実施するための最良の形態】
【００２９】
以下、本発明の一実施形態を図１〜図９（Ｃ）に基づいて説明する。図１には、本発明の一実施形態に係る情報記録システム１０の概略構成が示されている。
【００３０】
この図１に示される情報記録システム１０は、光ディスクに対して情報の記録及び再生を行なう２つの光ディスク装置（２０、１２０）と、各光ディスク装置の上位装置であるパソコン９０とを含んで構成されている。なお、図１における接続線は、代表的な信号や情報の流れを示すものであり、各ブロックの接続関係の全てを表すものではない。
【００３１】
《パソコン》
パソコン９０の概略構成について説明する。このパソコン９０は、マイクロコンピュータ（以下「ＭＰＵ」という）９２、ＲＡＭ９３、ハードディスク（ＨＤＤ）９４、入力装置９５、表示装置９６、及びインターフェース９７などを備えている。
【００３２】
ＭＰＵ９２は、ＲＡＭ９３にロードされているプログラムにしたがって処理、動作を行なう。
【００３３】
前記ＨＤＤ９４には、ＭＰＵ９２にて解読可能なコードで記述されたオペレーティングシステム（以下「ＯＳ」ともいう）、及び本発明に係るプログラムを含むプログラムが格納されている。パソコン９０に電源が投入されると、ＯＳの一部はＲＡＭ９３にロードされ、常駐する。また、ＨＤＤ９４に格納されているプログラムは、必要に応じてＲＡＭ９３にロードされ、ＭＰＵ９２で実行される。
【００３４】
前記表示装置９６は、例えばＣＲＴ、液晶ディスプレイ（ＬＣＤ）及びプラズマ・ディスプレイ・パネル（ＰＤＰ）などを用いた表示部（図示省略）を備え、ＭＰＵ９２から指示された各種情報を表示する。
【００３５】
前記入力装置９５は、例えばキーボード、マウス、タブレット、ライトペン及びタッチパネルなどのうち少なくとも１つの入力媒体（図示省略）を備え、ユーザから入力された各種情報をＭＰＵ９２に通知する。なお、入力媒体からの情報はワイヤレス方式で入力されても良い。また、表示装置９６と入力装置９５とが一体化されたものとして、例えばタッチパネル付きＬＣＤなどがある。
【００３６】
前記インターフェース９７は、各光ディスク装置との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００３７】
《光ディスク装置》
次に、前記光ディスク装置２０、１２０の構成について説明する。光ディスク装置２０と光ディスク装置１２０とは、ほぼ同じ構成である。そこで、便宜上、光ディスク装置２０の構成のみについて説明する。
【００３８】
この光ディスク装置２０は、光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、本実施形態では、一例としてＤＶＤ＋Ｒの規格に準拠した情報記録媒体が光ディスク１５として用いられるものとする。
【００３９】
前記光ピックアップ装置２３は、光ディスク１５の記録面にレーザ光を照射するとともに、記録面からの反射光を受光する装置である。この光ピックアップ装置２３は、一例として図２に示されるように、波長が約６６０ｎｍのレーザ光を出射する光源としての半導体レーザＬＤ、コリメートレンズ５２、ビームスプリッタ５４、対物レンズ６０、検出レンズ５８、受光器ＰＤ、及び駆動系（図示省略）などを備えている。なお、本実施形態では、半導体レーザＬＤから出射されるレーザ光の最大強度出射方向を＋Ｘ方向とする。
【００４０】
この半導体レーザＬＤの＋Ｘ側には、半導体レーザＬＤから出射された光束を略平行光とするコリメートレンズ５２が配置されている。このコリメートレンズ５２の＋Ｘ側には、光ディスク１５からの戻り光束を−Ｚ方向に分岐するためのビームスプリッタ５４が配置されている。対物レンズ６０は、ビームスプリッタ５４の＋Ｘ側に配置され、ビームスプリッタ５４を透過した光束を光ディスク１５の記録面に集光する。検出レンズ５８は、ビームスプリッタ５４の−Ｚ側に配置され、ビームスプリッタ５４で−Ｚ方向に分岐された戻り光束を受光器ＰＤの受光面に集光する。この受光器ＰＤは、通常の光ピックアップ装置と同様に、ウォブル信号情報、再生データ情報、及びサーボ情報などを含む複数の信号を再生信号処理回路２８に出力する。駆動系（図示省略）は、駆動制御回路２６からの駆動信号に応じて、対物レンズ６０の光軸方向であるフォーカス方向及びトラッキング方向に対物レンズ６０を微少駆動する。
【００４１】
図１に戻り、前記再生信号処理回路２８は、光ピックアップ装置２３を構成する受光器ＰＤの出力信号に基づいて、サーボ信号（フォーカスエラー信号やトラックエラー信号など）、クロック信号、及びＲＦ信号などを生成するとともに、アドレス情報を取得する。ここで生成されたサーボ信号は駆動制御回路２６に出力され、クロック信号はエンコーダ２５に出力される。また、アドレス情報はＣＰＵ４０に出力される。さらに、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。なお、誤り検出処理で検出されたエラー情報（例えばエラーレート）はＣＰＵ４０に通知される。これにより、ＣＰＵ４０では、再生エラーの発生頻度を知ることができる。
【００４２】
前記駆動制御回路２６は、再生信号処理回路２８からのサーボ信号に基づいて、対物レンズ６０の位置ずれを補正するための駆動信号を生成し、光ピックアップ装置２３の駆動系に出力する。また、駆動制御回路２６は、ＣＰＵ４０の指示に基づいて、シークモータ２１を駆動するための駆動信号及びスピンドルモータ２２を駆動するための駆動信号を生成し、それぞれシークモータ２１及びスピンドルモータ２２に出力する。
【００４３】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００４４】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００４５】
前記レーザ制御回路２４は、半導体レーザＬＤから出射されるレーザ光のパワーを制御する。例えば記録の際には、前記書き込み信号、記録条件及び半導体レーザＬＤの発光特性などに基づいて、半導体レーザＬＤの駆動信号が生成される。
【００４６】
前記インターフェース３８は、パソコン９０のインターフェース９７と同じ規格に準拠した通信インターフェースであり、インターフェース９７と接続されている。
【００４７】
前記フラッシュメモリ３９は、プログラム領域及びデータ領域を含んで構成されている。フラッシュメモリ３９のプログラム領域には、ＣＰＵ４０にて解読可能なコードで記述されたプログラムが格納されている。また、データ領域には、記録条件及び半導体レーザＬＤの発光特性などが格納されている。
【００４８】
前記ＣＰＵ４０は、フラッシュメモリ３９のプログラム領域に格納されているプログラムにしたがって前記各部の動作を制御するとともに、制御に必要なデータなどをＲＡＭ４１に保存する。
【００４９】
ここで、前述のようにして構成された情報記録システム１０を用いて、光ディスクに記録されているコンテンツを他の光ディスク（情報記録媒体）に記録する処理（記録処理）について説明する。
【００５０】
本実施形態では、記録対象のコンテンツ（コンテンツＡとする）は、一例として図３に示されるように、アンテナ１２３を介してテレビジョン受信機１２１で受信され、レコーダ１２２で光ディスク１５に記録されたコピーワンス・コンテンツであるものとする。この光ディスク１５には、一例として図４に示されるように、コンテンツＡだけでなく、管理情報も記録されている。そして、一例として図５に示されるように、光ディスク１５は光ディスク装置２０にセットされ、他の光ディスク（１１５とする）は光ディスク装置１２０にセットされているものとする。
【００５１】
ユーザが入力装置９５を介してコンテンツＡの記録要求を入力すると、図６に示されるフローチャートに対応するプログラム（以下「記録処理プログラム」という）の先頭アドレスがＭＰＵ９２のプログラムカウンタにセットされ、記録処理がスタートする。図６のフローチャートは、ＭＰＵ９２によって実行される一連の処理アルゴリズムに対応している。
【００５２】
最初のステップ４０１では、光ディスク装置２０を介してコンテンツＡのエラーレート（再生エラーの発生頻度）を取得する。
【００５３】
次のステップ４０３では、コンテンツＡのエラーレートが予め設定されている閾値以上であるか否かを判断する。エラーレートが閾値以上であれば、ここでの判断は肯定され、ステップ４０５に移行する。
【００５４】
このステップ４０５では、光ディスク装置２０を介して光ディスク１５からコンテンツＡを読み出す。
【００５５】
次のステップ４０７では、読み出したコンテンツＡをＨＤＤ９４に格納する。
【００５６】
次のステップ４０９では、読み出したコンテンツＡを光ディスク装置１２０を介して光ディスク１１５に書き込む。
【００５７】
次のステップ４１１では、光ディスク１１５におけるコンテンツＡが書き込まれた領域を光ディスク装置１２０を介して再生する。
【００５８】
次のステップ４１３では、上記ステップ４１１で再生したデータがＨＤＤ９４に格納されているコンテンツＡと一致するか否かを判断する。すなわち、光ディスク１１５へのコンテンツＡの書き込みが正しく行なわれたか否かを判断する。再生したデータがコンテンツＡと一致すれば、ここでの判断は肯定され、ステップ４１５に移行する。
【００５９】
このステップ４１５では、光ディスク装置２０を介して光ディスク１５に記録されているコンテンツＡを消去する。具体的には、一例として図７に示されるように、消去の開始アドレス（Logical Block Address）と、消去する領域の大きさ（Length）とを含む消去要求のコマンドが光ディスク装置２０に発行される。このコマンドを受信したときの光ディスク装置２０での処理については、後述する。なお、消去要求のコマンドは規格化されていないため、現在未使用のオペレーショナル・コードを用いた消去要求のコマンドを、パソコン９０側と光ディスク装置２０側とで予め取り決めている。
【００６０】
次のステップ４１７では、光ディスク１１５へのコンテンツＡの記録が完了したことを表示装置９６の表示部に表示する。
【００６１】
次のステップ４２１では、ＨＤＤ９４に格納されているコンテンツＡを消去する。そして、記録処理を終了する。
【００６２】
なお、前記ステップ４１３において、再生したデータがコンテンツＡと一致しなければ、ここでの判断は否定され、ステップ４１９に移行する。このステップ４１９では、エラー情報を表示装置９６の表示部に表示する。そして、前記ステップ４２１に移行する。
【００６３】
また、前記ステップ４０３において、エラーレートが閾値未満であれば、ここでの判断は否定され、ステップ４２３に移行する。このステップ４２３では、コンテンツＡの移動が不要であることを表示装置９６の表示部に表示する。そして、記録処理を終了する。
【００６４】
次に、前記消去要求のコマンドを受信したときの光ディスク装置２０での処理について図８を用いて説明する。この図８のフローチャートは、ＣＰＵ４０によって実行される一連の処理アルゴリズムに対応している。
【００６５】
パソコン９０からの消去要求のコマンドを受信すると、図８に示されるフローチャートに対応するプログラム（以下「消去処理プログラム」という）の先頭アドレスがＣＰＵ４０のプログラムカウンタにセットされ、消去処理がスタートする。
【００６６】
最初のステップ５０１では、シークモータ２１を駆動させ、消去要求のコマンドに記述されている消去の開始アドレス（Logical Block Address）が示す位置（以下、便宜上「消去開始位置」という）に光スポットが形成されるように光ピックアップ装置２３を移動する。
【００６７】
次のステップ５０３では、レーザ制御回路２４を介して、半導体レーザＬＤから出射されるレーザ光のパワーを記録パワーとほぼ同等とする。これにより、消去開始位置から上書きが開始されることとなる。
【００６８】
次のステップ５０５では、上書きされた領域の大きさが、消去要求のコマンドに記述されている消去する領域の大きさ（Length）に達したか否かを判断する。上書きされた領域の大きさが、消去する領域の大きさに達していなければ、ここでの判断は否定される。以下、上書きされた領域の大きさが、消去する領域の大きさに達するまで上書きを継続する。上書きされた領域の大きさが、消去する領域の大きさに達すると、ステップ５０５での判断は肯定され、ステップ５０７に移行する。
【００６９】
このステップ５０７では、半導体レーザＬＤから出射されるレーザ光のパワーをベースパワーとする。これにより、上書きが停止される。
【００７０】
次のステップ５０９では、消去が完了したことをパソコン９０に通知する。そして、消去処理を終了する。
【００７１】
以上の説明から明らかなように、本実施形態に係る情報記録システム１０では、パソコン９０のＭＰＵ９２及び該ＭＰＵ９２によって実行されるプログラムとによって、本発明の制御手段及び判断手段が実現されている。すなわち、図６のステップ４０５〜４１５の処理によって制御手段が実現され、ステップ４０１と４０３の処理によって判断手段が実現されている。しかしながら、本発明がこれに限定されるものではないことは勿論である。すなわち、上記実施形態は一例に過ぎず、上記のＭＰＵ９２によるプログラムに従う処理によって実現した各手段の少なくとも一部をハードウェアによって構成することとしても良いし、あるいは全てをハードウェアによって構成することとしても良い。
【００７２】
また、本実施形態では、ＨＤＤ９４に格納されているプログラムのうち、前記記録処理プログラムにおいて、本発明のプログラムが実行されている。すなわち、図６のステップ４０５〜４０９の処理に対応するプログラムによって第１手順が実行され、ステップ４１５の処理に対応するプログラムによって第２手順が実行され、ステップ４１１と４１３の処理に対応するプログラムによって第３手順が実行され、ステップ４０１と４０３の処理に対応するプログラムによって第４手順が実行されている。
【００７３】
以上説明したように、本実施形態に係る情報記録システム１０によると、先ず光ディスク１５（第１の光ディスク）に記録されているコンテンツＡが、他の光ディスク（第２の光ディスク、他の情報記録媒体）１１５に書き込まれる。この書込みが終了すると、光ディスク１５に記録パワーと同等のパワーのレーザ光が照射され、光ディスク１５からのコンテンツＡの再生が不可能とされる。すなわち、光ディスク１５に記録されているコンテンツＡは消去され、コンテンツＡが光ディスク１５から光ディスク１１５に移動されたこととなり、コンテンツＡの属性（コピーワンス）に反することなく、光ディスク１１５に記録することができる。従って、不正コピーを伴うことなくコンテンツを他の情報記録媒体に記録することが可能となる。
【００７４】
また、本実施形態によると、光ディスク１５に記録されているコンテンツＡのエラーレートが閾値以上の場合に光ディスク１１５への記録を行なっている。これにより、不要な記録を抑制することができる。
【００７５】
また、本実施形態によると、光ディスク１５における消去領域は、消去要求のコマンドに記述されている消去の開始アドレス（Logical Block Address）と、消去する領域の大きさ（Length）とによって決定される。そこで、種々の消去モードが考えられる。例えば図９（Ａ）に示されるように記録領域のすべてを上書きしても良いし、図９（Ｂ）に示されるように、消去時間を短縮するために、管理情報のみを上書きしても良い。さらに、図９（Ｃ）に示されるように、消去要求のコマンドを複数回発行し、半導体レーザＬＤの記録パワーでの発光を断続的に行なっても良い。これにより、コンテンツを確実に消去でき、かつ消去時間を短縮することができる。これらの消去モードは、コンテンツの内容や処理時間に応じて、ユーザが選択可能とすることができる。
【００７６】
なお、上記実施形態では、光ディスク１５にコンテンツＡのみが記録されている場合について説明したが、これに限らず、一例として図１０に示されるように、複数のコンテンツが記録されていても良い。この場合には、一例として図１１（Ａ）に示されるように、光ディスク１５の記録領域のうち、コンテンツＡが記録されている領域のみを上書きすれば、他のコンテンツに影響を与えることなく、コンテンツＡを移動させることができる。この場合に、一例として図１１（Ｂ）に示されるように、管理情報が記録されている領域のうち、コンテンツＡに関する管理情報が記録されている領域のみを上書きしても良い。消去時間を短縮することができる。
【００７７】
また、上記実施形態では、エラーレートが閾値以上の場合にコンテンツを他の光ディスクに記録しているが、エラーレートに関係なくコンテンツを他の光ディスクに記録しても良い。すなわち、図６におけるステップ４０１、４０３及び４２３はなくても良い。
【００７８】
また、上記実施形態において、光ディスク装置１５、１１５の少なくとも一方がパソコン９０に内蔵されていても良い。
【００７９】
また、上記実施形態では、光ディスクがＤＶＤ＋Ｒの場合について説明したが、本発明がこれに限定されるものではなく、例えばＣＤ−Ｒ、ＤＶＤ−Ｒ、あるいは約４０５ｎｍの波長の光に対応した次世代の情報記録媒体であっても良い。例えば、光ディスクがＣＤ−Ｒの場合には、管理情報が記録されている領域としてＴＯＣ（Table of Contents）領域が用いられる。
【００８０】
また、上記実施形態では、ライトワンス型の光ディスクに記録されているコンテンツが他の光ディスクに移動される場合について説明したが、本発明がこれに限定されるものではなく、光ディスク以外の情報記録媒体に移動されても良い。
【００８１】
また、上記実施形態では、情報記録システムが２つの光ディスク装置を備えている場合について説明したが、光ディスク装置が１つであっても良い。この場合の記録処理について図１２を用いて説明する。ここでは、光ディスク装置２０のみが設けられ、前記光ディスク１５がセットされているものとする。
【００８２】
最初のステップ６０１では、光ディスク装置２０を介してコンテンツＡのエラーレート（再生エラーの発生頻度）を取得する。
【００８３】
次のステップ６０３では、コンテンツＡのエラーレートが前記閾値以上であるか否かを判断する。エラーレートが閾値以上であれば、ここでの判断は肯定され、ステップ６０５に移行する。
【００８４】
このステップ６０５では、光ディスク装置２０を介して光ディスク１５からコンテンツＡを読み出す。
【００８５】
次のステップ６０７では、読み出したコンテンツＡをＨＤＤ９４に格納する。
【００８６】
次のステップ６０９では、前記ステップ４１５と同様にして光ディスク１５に記録されているコンテンツＡを消去する。
【００８７】
次のステップ６１１では、光ディスク１５を他の光ディスク（光ディスク１１５）に交換するように、表示装置９６の表示部に表示する。
【００８８】
次のステップ６１３では、光ディスクの交換を確認すると、ＨＤＤ９４に格納したコンテンツＡを光ディスク装置２０を介して光ディスク１１５に書き込む。
【００８９】
次のステップ６１５では、ＨＤＤ９４に格納されているコンテンツＡを消去する。
【００９０】
次のステップ６１７では、光ディスク１１５へのコンテンツＡの記録が完了したことを表示装置９６の表示部に表示する。そして、記録処理を終了する。
【００９１】
なお、前記ステップ６０３において、エラーレートが閾値未満であれば、ここでの判断は否定され、ステップ６１９に移行する。このステップ６１９では、コンテンツＡの移動が不要であることを表示装置９６の表示部に表示する。そして、記録処理を終了する。
【００９２】
なお、ＨＤＤ９４に格納されているコンテンツＡを消去する（ステップ６１５）前に、前記ステップ４１１及び４１３と同様の処理を行ない、光ディスク１１５へのコンテンツＡの書き込みが正しく行なわれたことを確認しても良い。そして、書き込みが正しく行なわれなかった場合には、ＨＤＤ９４に格納されているコンテンツＡを消去せずに、光ディスク１１５に代えて新たな光ディスクをセットするように指示し、再度コンテンツＡの書き込みを行なっても良い。
【００９３】
さらに、この場合においても、エラーレートに関係なくコンテンツを他の光ディスクに記録しても良い。すなわち、図１２におけるステップ６０１、６０３及び６１９はなくても良い。
【００９４】
また、上記実施形態では、本発明に係るプログラムは、ＨＤＤ９４に記録されているが、他の記録媒体（ＣＤ、光磁気ディスク、ＤＶＤ、メモリカード、ＵＳＢメモリ、フレキシブルディスク等）に記録されていても良い。この場合には、各記録媒体に対応する再生装置（又は専用インターフェース）を介して本発明に係るプログラムをＲＡＭ９３にロードすることとなる。また、ネットワーク（ＬＡＮ、イントラネット、インターネットなど）を介して本発明に係るプログラムをＲＡＭ９３に転送しても良い。要するに、本発明に係るプログラムがＲＡＭ９３に格納されていれば良い。
【図面の簡単な説明】
【００９５】
【図１】本発明の一実施形態に係る情報記録システムの概略構成を示すブロック図である。
【図２】図１における光ピックアップ装置の構成を説明するための図である。
【図３】コンテンツを説明するための図である。
【図４】コンテンツが記録されている光ディスクを説明するための図である。
【図５】図１の情報記録システムを用いたコンテンツの記録処理を説明するための図である。
【図６】コンテンツの記録処理における図１のＭＰＵの処理、動作を説明するためのフローチャートである。
【図７】消去要求のコマンドを説明するための図である。
【図８】消去要求のコマンドを受信したときの図１のＣＰＵの処理、動作を説明するためのフローチャートである。
【図９】図９（Ａ）〜図９（Ｃ）は、それぞれコンテンツの記録処理が完了したときの光ディスク１５を説明するための図である。
【図１０】複数のコンテンツが記録されている光ディスクを説明するための図である。
【図１１】図１１（Ａ）及び図１１（Ｂ）は、それぞれ図１０の光ディスクにおいて、コンテンツＡのみを他の情報記録媒体に記録した場合を説明するための図である。
【図１２】１つの光ディスク装置を用いたコンテンツの記録処理におけるＭＰＵの処理、動作を説明するためのフローチャートである。
【符号の説明】
【００９６】
１０…情報記録システム、１５…光ディスク（第１の光ディスク）、２０…光ディスク装置（一方の光ディスク装置）、９０…パソコン、９２…ＭＰＵ（制御手段、判断手段）、１１５…光ディスク（第２の光ディスク）、１２０…光ディスク装置（他方の光ディスク装置）。
【図１】
2005317051.tif 000003
【図２】
2005317051.tif 000004
【図３】
2005317051.tif 000005
【図４】
2005317051.tif 000006
【図５】
2005317051.tif 000007
【図６】
2005317051.tif 000008
【図７】
2005317051.tif 000009
【図８】
2005317051.tif 000010
【図９】
2005317051.tif 000011
【図１０】
2005317051.tif 000012
【図１１】
2005317051.tif 000013
【図１２】
2005317051.tif 000014